(57)【要約】【課題】連続撮影を行う場合に、次に外部メモリを交換するタイミングを容易に把握できるようにする。【解決手段】外部メモリ１０６が装着されている場合に動画データを外部メモリ１０６に記録し、外部メモリ１０６の残容量が予め定められた値を下回った場合に動画データの記録先を外部メモリ１０６から本体内メモリ１０８に切り替え、新たな外部メモリ１０６´が装着された場合に動画データの記録先を本体内メモリ１０８から新たな外部メモリ１０６´に切り替える。この場合に、新たな外部メモリ１０６´の残容量から外部メモリの交換中に本体内メモリ１０８に記録した動画データの容量を引いた残容量、又は、該残容量から演算される記録可能時間をＬＣＤ１０５に表示する。【選択図】図１
2009165019.tif 000002
【特許請求の範囲】
【請求項１】
被写体像を光電変換する撮像手段と、
撮像装置本体に着脱可能な外部メモリと、
撮像装置本体の本体内メモリと、
前記撮像手段により光電変換されて生成された動画データの記録開始及び記録終了を指示するための記録指示手段と、
前記外部メモリの残容量を検出する外部メモリ残容量検出手段と、
前記外部メモリが装着されている場合に動画データを前記外部メモリに記録し、前記外部メモリの残容量が予め定められた値を下回った場合に動画データの記録先を前記外部メモリから前記本体内メモリに切り替え、新たな外部メモリが装着された場合に動画データの記録先を前記本体内メモリから前記新たな外部メモリに切り替えるメモリ制御手段と、
前記外部メモリから記録先が切り替えられ、その後に前記新たな外部メモリに記録先が切り替えられるまでの間に前記本体内メモリに記録した動画データの容量を検出する本体内動画データ容量検出手段と、
前記新たな外部メモリの残容量から前記本体内動画データ容量検出手段により検出された動画データの容量を引いた残容量、及び、該残容量から演算される記録可能時間のうち少なくともいずれか一方を表示装置に表示する表示制御手段と、
前記外部メモリから記録先が切り替えられ、その後に前記新たな外部メモリに記録先が切り替えられるまでの間に前記本体内メモリに記録した動画データを前記新たな外部メモリにデータ転送するデータ転送制御手段とを備えたことを特徴とする撮像装置。
【請求項２】
前記外部メモリの残容量が予め定められた値を下回った場合に警告を行う警告手段を備えたことを特徴とする請求項１に記載の撮像装置。
【請求項３】
前記データ転送制御手段は、前記記録指示手段による動画データの記録終了の指示があった後、前記データ転送を実行することを特徴とする請求項１又は２に記載の撮像装置。
【請求項４】
前記データ転送制御手段によるデータ転送中は、前記記録指示手段による記録開始を不許可とすることを特徴とする請求項１乃至３のいずれか１項に記載の撮像装置。
【請求項５】
前記表示制御手段は、連続撮影時間を併せて表示することを特徴とする請求項１乃至４のいずれか１項に記載の撮像装置。
【請求項６】
前記表示制御手段は、前記本体内メモリの残容量及び該残容量から演算される記録可能時間のうち少なくともいずれか一方を併せて表示することを特徴とする請求項１乃至５のいずれか１項に記載の撮像装置。
【請求項７】
被写体像を光電変換する撮像手段と、撮像装置本体に着脱可能な外部メモリと、撮像装置本体の本体内メモリと、前記撮像手段により光電変換されて生成された動画データの記録開始及び記録終了を指示するための記録指示手段と、前記外部メモリの残容量を検出する外部メモリ残容量検出手段とを備えた撮像装置における記録制御方法であって、
前記外部メモリが装着されている場合に動画データを前記外部メモリに記録する手順と、
前記外部メモリの残容量が予め定められた値を下回った場合に動画データの記録先を前記外部メモリから前記本体内メモリに切り替える手順と、
新たな外部メモリが装着された場合に動画データの記録先を前記本体内メモリから前記新たな外部メモリに切り替える手順と、
前記外部メモリから記録先が切り替えられ、その後に前記新たな外部メモリに記録先が切り替えられるまでの間に前記本体内メモリに記録した動画データの容量を検出する手順と、
前記新たな外部メモリの残容量から前記検出された本体内メモリに記録した動画データの容量を引いた残容量、及び、該残容量から演算される記録可能時間のうち少なくともいずれか一方を表示装置に表示する手順と、
前記外部メモリから記録先が切り替えられ、その後に前記新たな外部メモリに記録先が切り替えられるまでの間に前記本体内メモリに記録した動画データを前記新たな外部メモリにデータ転送する手順とを有することを特徴とする撮像装置における記録制御方法。
【請求項８】
被写体像を光電変換する撮像手段と、撮像装置本体に着脱可能な外部メモリと、撮像装置本体の本体内メモリと、前記撮像手段により光電変換されて生成された動画データの記録開始及び記録終了を指示するための記録指示手段と、前記外部メモリの残容量を検出する外部メモリ残容量検出手段とを備えた撮像装置における記録制御を行うためのプログラムであって、
前記外部メモリが装着されている場合に動画データを前記外部メモリに記録する処理と、
前記外部メモリの残容量が予め定められた値を下回った場合に動画データの記録先を前記外部メモリから前記本体内メモリに切り替える処理と、
新たな外部メモリが装着された場合に動画データの記録先を前記本体内メモリから前記新たな外部メモリに切り替える処理と、
前記外部メモリから記録先が切り替えられ、その後に前記新たな外部メモリに記録先が切り替えられるまでの間に前記本体内メモリに記録した動画データの容量を検出する処理と、
前記新たな外部メモリの残容量から前記検出された本体内メモリに記録した動画データの容量を引いた残容量、及び、該残容量から演算される記録可能時間のうち少なくともいずれか一方を表示装置に表示する処理と、
前記外部メモリから記録先が切り替えられ、その後に前記新たな外部メモリに記録先が切り替えられるまでの間に前記本体内メモリに記録した動画データを前記新たな外部メモリにデータ転送する処理とをコンピュータに実行させるためのプログラム。
【発明の詳細な説明】
【技術分野】
【０００１】
本発明は、動画データを外部メモリ及び本体内メモリに記録する撮像装置、撮像装置における記録制御方法及びプログラムに関する。
【背景技術】
【０００２】
従来、カメラ本体に着脱可能な外部メモリと、カメラ本体内のメモリとの２つのメモリを有するビデオカメラが提供されている。このようなビデオカメラでは、外部メモリがカメラ本体に装着されていない状態では、撮像された動画データはカメラ本体内のメモリに記録される。すなわち、外部メモリがカメラ本体に装着されていない状態であっても、動画データを記録、保存することができる。さらに、外部メモリがカメラ本体に装着されていることが検出されたときは、カメラ本体内のメモリに記録されている動画データを読み出して、外部メモリの記録可能領域に転送記録することができる。これにより、動画データを再生するときに、カメラ本体を再生装置に接続する必要がなく、外部メモリを取り出して再生装置に装着すればよいので、ビデオカメラの操作性を大きく改善することができる（例えば特許文献１）。
【０００３】
【特許文献１】特許第３１２８８０６号公報
【発明の開示】
【発明が解決しようとする課題】
【０００４】
しかしながら、上述した従来のビデオカメラでは、連続撮影中に外部メモリを交換する場合、外部メモリの交換中の動画データはカメラ本体内のメモリに記録される。そのため、連続記録終了後に、カメラ本体内のメモリに記録された動画データをカメラ本体に装着された外部メモリに転送記録する必要がある。この場合に、予めその記録領域を外部メモリに確保しておかなければならず、使用者が連続撮影を続けたいとき、次に外部メモリを交換するタイミングを把握することが困難であるという課題があった。
【０００５】
本発明は上記のような点に鑑みてなされたものであり、連続撮影を行う場合に、次に外部メモリを交換するタイミングを容易に把握できるようにすることを目的とする。
【課題を解決するための手段】
【０００６】
本発明の撮像装置は、被写体像を光電変換する撮像手段と、撮像装置本体に着脱可能な外部メモリと、撮像装置本体の本体内メモリと、前記撮像手段により光電変換されて生成された動画データの記録開始及び記録終了を指示するための記録指示手段と、前記外部メモリの残容量を検出する外部メモリ残容量検出手段と、前記外部メモリが装着されている場合に動画データを前記外部メモリに記録し、前記外部メモリの残容量が予め定められた値を下回った場合に動画データの記録先を前記外部メモリから前記本体内メモリに切り替え、新たな外部メモリが装着された場合に動画データの記録先を前記本体内メモリから前記新たな外部メモリに切り替えるメモリ制御手段と、前記外部メモリから記録先が切り替えられ、その後に前記新たな外部メモリに記録先が切り替えられるまでの間に前記本体内メモリに記録した動画データの容量を検出する本体内動画データ容量検出手段と、前記新たな外部メモリの残容量から前記本体内動画データ容量検出手段により検出された動画データの容量を引いた残容量、及び、該残容量から演算される記録可能時間のうち少なくともいずれか一方を表示装置に表示する表示制御手段と、前記外部メモリから記録先が切り替えられ、その後に前記新たな外部メモリに記録先が切り替えられるまでの間に前記本体内メモリに記録した動画データを前記新たな外部メモリにデータ転送するデータ転送制御手段とを備えたことを特徴とする。
本発明の撮像装置における記録制御方法は、被写体像を光電変換する撮像手段と、撮像装置本体に着脱可能な外部メモリと、撮像装置本体の本体内メモリと、前記撮像手段により光電変換されて生成された動画データの記録開始及び記録終了を指示するための記録指示手段と、前記外部メモリの残容量を検出する外部メモリ残容量検出手段とを備えた撮像装置における記録制御方法であって、前記外部メモリが装着されている場合に動画データを前記外部メモリに記録する手順と、前記外部メモリの残容量が予め定められた値を下回った場合に動画データの記録先を前記外部メモリから前記本体内メモリに切り替える手順と、新たな外部メモリが装着された場合に動画データの記録先を前記本体内メモリから前記新たな外部メモリに切り替える手順と、前記外部メモリから記録先が切り替えられ、その後に前記新たな外部メモリに記録先が切り替えられるまでの間に前記本体内メモリに記録した動画データの容量を検出する手順と、前記新たな外部メモリの残容量から前記検出された本体内メモリに記録した動画データの容量を引いた残容量、及び、該残容量から演算される記録可能時間のうち少なくともいずれか一方を表示装置に表示する手順と、前記外部メモリから記録先が切り替えられ、その後に前記新たな外部メモリに記録先が切り替えられるまでの間に前記本体内メモリに記録した動画データを前記新たな外部メモリにデータ転送する手順とを有することを特徴とする。
本発明のプログラムは、被写体像を光電変換する撮像手段と、撮像装置本体に着脱可能な外部メモリと、撮像装置本体の本体内メモリと、前記撮像手段により光電変換されて生成された動画データの記録開始及び記録終了を指示するための記録指示手段と、前記外部メモリの残容量を検出する外部メモリ残容量検出手段とを備えた撮像装置における記録制御を行うためのプログラムであって、前記外部メモリが装着されている場合に動画データを前記外部メモリに記録する処理と、前記外部メモリの残容量が予め定められた値を下回った場合に動画データの記録先を前記外部メモリから前記本体内メモリに切り替える処理と、新たな外部メモリが装着された場合に動画データの記録先を前記本体内メモリから前記新たな外部メモリに切り替える処理と、前記外部メモリから記録先が切り替えられ、その後に前記新たな外部メモリに記録先が切り替えられるまでの間に前記本体内メモリに記録した動画データの容量を検出する処理と、前記新たな外部メモリの残容量から前記検出された本体内メモリに記録した動画データの容量を引いた残容量、及び、該残容量から演算される記録可能時間のうち少なくともいずれか一方を表示装置に表示する処理と、前記外部メモリから記録先が切り替えられ、その後に前記新たな外部メモリに記録先が切り替えられるまでの間に前記本体内メモリに記録した動画データを前記新たな外部メモリにデータ転送する処理とをコンピュータに実行させる。
【発明の効果】
【０００７】
本発明によれば、連続撮影中に外部メモリの残容量が少なくなり、新たな外部メモリに交換した場合に、新たな外部メモリの残容量や記録可能時間として、外部メモリの交換中に本体内メモリに記録した動画データを考慮した数値が表示される。したがって、連続撮影を行う場合に、使用者は次に外部メモリを交換するタイミングを容易に把握することができる。
【発明を実施するための最良の形態】
【０００８】
以下、添付図面を参照して、本発明の好適な実施形態について説明する。
図１は、本発明の実施形態に係る撮像装置（カムコーダ）の概略構成を示すブロック図である。１０１はレンズである。１０２固体撮像素子であるＣＣＤ（Charge Coupled Device）であり、レンズ１０１で結像した被写体像を光電変換する撮像手段である。
【０００９】
１０３は映像信号処理回路であり、ＣＣＤ１０２で光電変換した撮像信号を映像信号（例えば動画データ）にする。１０４は映像表示出力回路であり、映像信号と警告表示をミックスしてＬＣＤ１０５に出力する。１０５は表示装置であるＬＣＤ（Liquid Crystal Display）である。
【００１０】
１０６はカメラ本体に着脱可能な外部メモリであり、動画データを記録することができる。１０７は外部メモリ１０６を装着するための外部メモリスロットである。１０８はカメラ本体の本体内メモリであり、動画データを記録することができる。１０９はメモリ制御回路であり、映像信号処理回路１０３で生成した映像信号の記録先を外部メモリ１０６及び本体内メモリ１０８のいずれにするかを制御する。１１０は残容量検出回路であり、外部メモリスロット１０７に装着された外部メモリ１０６の残容量を検出する外部メモリ残容量検出手段である。
【００１１】
１１１はカムコーダのシステム制御を行うマイクロコンピュータ（以下、マイコンと称する）である。１１２は記録スイッチであり、使用者が記録開始や記録終了を指示するための記録指示手段である。１１３は本体内メモリ１０８に記録した映像信号を外部メモリ１０６にデータ転送するためのデータ転送路である。
【００１２】
以上の構成により、本発明でいうメモリ制御手段、本体内動画データ容量検出手段、表示制御手段、データ転送制御手段が実現される。
【００１３】
次に、本実施形態に係る撮像装置の処理動作について説明する。レンズ１０１で結像した被写体像をＣＣＤ１０２で光電変換して撮像信号とし、その撮像信号を映像信号処理回路１０３で映像信号に変換する。また、映像信号処理回路１０３は、マイコン１１１からの指示に従い、カムコーダの状態表示や各種設定を行うためのメニュー画面及び警告画面の表示用にＯＳＤ（On Screen Display）の信号を生成する。映像信号処理回路１０３で生成した映像信号は、映像表示出力回路１０４及びメモリ制御回路１０９に入力される。
【００１４】
映像表示出力回路１０４は、マイコン１１１からの指示に従い、映像信号処理回路１０３で生成した映像信号とカムコーダの状態表示や各種設定を行うためのメニュー画面及び警告画面の表示用に生成したＯＳＤの信号をミックスしてＬＣＤ１０５に表示する。
【００１５】
一方、メモリ制御回路１０９は、マイコン１１１からの指示に従い、映像信号処理回路１０３で生成した映像信号を本体内メモリ１０８及び外部メモリスロット１０７に装着された外部メモリ１０６のいずれかに出力する。
【００１６】
残容量検出回路１１０は、外部メモリスロット１０７に装着された外部メモリ１０６の残容量を検出し、マイコン１１１に通知する。マイコン１１１は、外部メモリ１０６の残容量が予め定められた値を下回ったかどうかを判断する。外部メモリ１０６の残容量が予め定められた値を下回った場合、メモリ制御回路１０９は映像信号の記録先として本体内メモリ１０８を選択する。それに対して、外部メモリ１０６の残容量が予め定められた値を下回っていない場合、メモリ制御回路１０９は映像信号の記録先として外部メモリ１０６を選択する。
【００１７】
映像信号の記録を開始したり、記録を終了したりするトリガは記録スイッチ１１２を介してマイコン１１１で把握する。本体内メモリ１０８に記録した映像信号は、データ転送路１１３を介して外部メモリ１０６にデータ転送可能となっている。
【００１８】
ここで、連続撮影を行うときの撮像装置の処理動作について説明する。使用者が記録スイッチ１１２を操作することにより動画データの記録を開始する。基本的には、外部メモリ１０６が装着されていることを推奨するが、外部メモリ１０６が装着されていなければ、メモリ制御回路１０９は本体内メモリ１０８を記録先に選択し、本体内メモリ１０８に動画データの記録を開始する。外部メモリ１０６が装着されていれば、メモリ制御回路１０９は外部メモリ１０６を記録先に選択し、外部メモリ１０６に動画データの記録を開始する。
【００１９】
この場合に、使用者に知らせる情報として記録可能時間は、外部メモリスロット１０７に装着された外部メモリ１０６の残容量を残容量検出回路１１０で検出し、その検出した残容量から演算する。そして、演算した記録可能時間に基づいて、映像表示出力回路１０４でＯＳＤ表示を生成して、映像信号処理回路１０３で生成した映像信号にミックスしてＬＣＤ１０５に表示する。図５に、記録可能時間を表示したときの具体例を示す。また、使用者に知らせる情報として、記録可能時間ではなく残容量そのものをＬＣＤ１０５に表示する場合もある。図６に、残容量を表示したときの具体例を示す。
【００２０】
引き続き撮影が継続しているため記録が長時間に及ぶ場合は、外部メモリスロット１０７に装着された外部メモリ１０６の残容量が足らなくなるおそれがあるため、外部メモリ１０６の残容量が予め定められた値を下回ったかどうかを判断する。外部メモリ１０６の残容量が予め定められた値を下回った場合、メモリ制御回路１０９は映像信号処理回路１０３で生成した動画データの記録先を外部メモリ１０６から本体内メモリ１０８に切り替える。この場合に、記録済みの外部メモリ１０６を新たな外部メモリ１０６´に交換することを使用者に促すための警告表示をＬＣＤ１０５に表示する。図７に、外部メモリの交換を促す警告を表示したときの具体例を示す。
【００２１】
使用者は、この警告表示を見て外部メモリの交換が必要であることを認識し、外部メモリスロット１０７から記録済みの外部メモリ１０６を抜き、新たな外部メモリ１０６´を装着する。新たな外部メモリ１０６´が外部メモリスロット１０７に装着されると、メモリ制御回路１０９は映像信号処理回路１０３で生成した動画データの記録先を本体内メモリ１０８から新たな外部メモリ１０６´に切り替える。この場合に、新たな外部メモリ１０６´の残容量を残容量検出回路１１０で検出するとともに、そこから外部メモリの交換中に本体内メモリ１０８に記録した動画データの容量を引いた残容量を求め、その求めた残容量から記録可能時間を演算する。すなわち、新たな外部メモリ１０６´の残容量として、外部メモリの交換中に本体内メモリ１０８に記録した動画データを考慮した数値が表示される。そして、演算した記録可能時間に基づいて、映像表示出力回路１０４でＯＳＤ表示を生成して、映像信号処理回路１０３で生成した映像信号にミックスしてＬＣＤ１０５に表示する。なお、記録可能時間を表示したときの具体例は図５に示したとおりである。また、記録可能時間ではなく残容量そのものをＬＣＤ１０５に表示してもよい（図６を参照）。
【００２２】
使用者が記録スイッチ１１２を操作することにより動画データの記録を終了する。メモリ制御回路１０９は、外部メモリの交換中に本体内メモリ１０８に記録した動画データを新たな外部メモリ１０６´にデータ転送する。本体内メモリ１０８から外部メモリ１０６´にデータ転送中であるため記録スイッチ１１２の制御を無効（不許可）にすると同時に、記録操作することができない旨の警告をＬＣＤ１０５に表示する。図８に、記録操作することができない旨の警告を表示したときの具体例を示す。図８に示すように、本体内メモリ１０８から外部メモリ１０６´へのデータ転送の進捗状況を使用者に示すプログレスバーも表示する。
【００２３】
また、例えば外部メモリの記録可能時間と本体内メモリ１０８の記録可能時間と連続撮影時間とを併せて同時にＬＣＤ１０５に表示することも使用者の使い勝手向上につながる。図９に、記録可能時間と連続撮影時間とを表示したときの具体例を示す。また、外部メモリの残容量と本体内メモリ１０８の残容量と連続撮影時間とを併せて同時にＬＣＤ１０５に表示することも使用者の使い勝手向上につながる。図１０に、残容量と連続撮影時間とを表示したときの具体例を示す。以上により、連続撮影した場合の一連の処理が終了する。
【００２４】
次に、図２のフローチャートを参照して、本実施形態に係る撮像装置における具体的な動作を説明する。ステップＳ２０１では、使用者が記録スイッチ１１２を操作することにより動画データの記録を開始して、ステップＳ２０２に進む。
【００２５】
ステップＳ２０２では、外部メモリ１０６が外部メモリスロット１０７に装着されているかどうかを判断する。外部メモリ１０６が装着されていなければ、ステップＳ２０６に進む。外部メモリ１０６が装着されていれば、ステップＳ２０３に進む。
【００２６】
ステップＳ２０３では、メモリ制御回路１０９が外部メモリ１０６を記録先に選択し、映像信号処理回路１０３から出力された動画データを外部メモリ１０６に記録開始して、ステップＳ２０４に進む。
【００２７】
ステップＳ２０４では、外部メモリ１０６の残容量を残容量検出回路１１０で検出し、検出した残容量から記録可能時間を演算する。演算した記録可能時間に基づいて、映像表示出力回路１０４でＯＳＤ表示を生成して、映像信号処理回路１０３から出力された映像信号にミックスしてＬＣＤ１０５で表示する（図５を参照）。なお、ここでは記録可能時間を表示する例を挙げたが、既述したように記録可能な残容量を表示する場合も有効である。この場合は、外部メモリ１０６の残容量を残容量検出回路１１０で検出する。検出した残容量に基づいて、映像表示出力回路１０４でＯＳＤ表示を生成して、映像信号処理回路１０３から出力された映像信号にミックスしてＬＣＤ１０５で表示する（図６を参照）。その後、ステップＳ２０５に進む。
【００２８】
ステップＳ２０５では、外部メモリ１０６の残容量が予め定められた値を下回ったかどうかを判断する。外部メモリ１０６の残容量が予め定められた値を下回った場合、ステップＳ２０６に進む。
【００２９】
ステップＳ２０６では、メモリ制御回路１０９は映像信号処理回路１０３から出力された動画データの記録先を外部メモリ１０６から本体内メモリ１０８に切り替えて、ステップＳ２０７に進む。
【００３０】
ステップＳ２０７では、記録済みの外部メモリ１０６を新たな外部メモリ１０６´に交換することを使用者に促すための警告表示をＬＣＤ１０５に表示する（図７を参照）。その後、ステップＳ２０８に進む。
【００３１】
ステップＳ２０８では、新たな外部メモリ１０６´が外部メモリスロット１０７に装着されたかどうかを検出する。新たな外部メモリ１０６´が装着されると、ステップＳ２０９に進む。
【００３２】
ステップＳ２０９では、メモリ制御回路１０９は映像信号処理回路１０３から出力された動画データの記録先を本体内メモリ１０８から新たな外部メモリ１０６´に切り替える。これにより、本体内メモリ１０８への動画データの記録を終了するとともに、新たな外部メモリ１０６´への記録を開始し、ステップＳ２１０に進む。
【００３３】
ステップＳ２１０では、ステップＳ２０６〜ステップＳ２０８までの外部メモリの交換中に本体内メモリ１０８に記録した動画データを、後から装着された外部メモリ１０６´にデータ転送することを考慮に入れて、新たな外部メモリ１０６´の残容量を残容量検出回路１１０で検出する。そして、検出した残容量から記録可能時間を演算する。演算した記録可能時間に基づいて、映像表示出力回路１０４でＯＳＤ表示を生成して、映像信号処理回路１０３から出力された映像信号にミックスしてＬＣＤ１０５で表示する（図５を参照）。その後、ステップＳ２１１に進む。
【００３４】
ステップＳ２１１では、使用者が記録スイッチ１１２を操作することにより動画データの記録を終了して、ステップＳ２１２に進む。
【００３５】
ステップＳ２１２では、メモリ制御回路１０９は、ステップＳ２０６〜ステップＳ２０８までの外部メモリの交換中に本体内メモリ１０８に記録した動画データを外部メモリ１０６´にデータ転送し、ステップＳ２１３に進む。
【００３６】
ステップＳ２１３では、本体内メモリ１０８から外部メモリ１０６´へのデータを転送中であるため記録スイッチ１１２の制御を無効にすると同時に、記録操作することができない旨の警告をＬＣＤ１０５に表示する（図８を参照）。その後、ステップＳ２１４に進む。
【００３７】
ステップＳ２１４では、本体内メモリ１０８から外部メモリ１０６´へのデータ転送が終了したかどうかを判断し、終了したならば一連の処理を終了する。
【００３８】
次に、図３を参照して、外部メモリ１０６（１０６´）及び本体内メモリ１０８のメモリ使用状況について説明する。図３の縦軸は、外部メモリ１０６（１０６´）のメモリ使用状況及び本体内メモリ１０８のメモリ使用状況を表わす。また、図３の横軸は、時間を表わしており、そのタイミングを含めた具体的な各ブロックの動きについて以下に詳細に説明する。
【００３９】
まず、使用者が記録スイッチ１１２を操作することにより動画データの記録を開始する（図３のタイミング３１０）。動画データの記録を開始するタイミング３１０で、外部メモリ１０６への動画データの記録が開始する。
【００４０】
図３では、外部メモリ１０６に記録する期間を期間３０１、このとき記録される記録コンテンツを動画Ａ、動画Ａデータの記録先を外部メモリＡとする。グラフ３０４は、外部メモリＡに動画Ａデータの記録が継続し、外部メモリＡの使用可能な残容量が徐々に減少している様子を示す。この動画Ａデータが外部メモリ１０６に記録される期間３０１では、ＬＣＤ１０５に表示される記録可能時間は、残容量検出回路１１０で検出される外部メモリＡの残容量から演算して生成される。その後、タイミング３１２で、外部メモリＡの残容量が予め定められた値を下回っていることが検出され、一連の動画データの記録先が外部メモリＡから本体内メモリ１０８に切り替えられる。
【００４１】
本体内メモリ１０８に記録する期間を期間３０２、このとき記録される記録コンテンツを動画Ｂ、動画Ｂデータの記録先を本体内メモリとする。グラフ３０５は、本体内メモリに動画Ｂデータの記録が継続し、本体内メモリの使用可能な残容量が徐々に減少している様子を示す。この動画Ｂデータが本体内メモリ１０８に記録される期間３０２では、使用者が新たな外部メモリ１０６´に交換する作業を行う。外部メモリ１０６´が外部メモリスロット１０７に装着されたタイミング３１３で、一連の動画データの記録先が本体内メモリ１０８から外部メモリＢに切り替えられる。
【００４２】
新たな外部メモリ１０６´に記録する期間を期間３０３、このとき記録されるコンテンツを動画Ｃ、動画Ｃデータの記録先を外部メモリＢとする。グラフ３０６は、外部メモリＢに動画Ｃデータの記録が継続し、外部メモリＢの使用可能な容量が徐々に減少している様子を示す。この動画Ｃデータが新たな外部メモリ１０６´に記録される期間３０３では、ＬＣＤ１０５に表示される記録可能時間は、残容量検出回路１１０で検出される外部メモリＢの残容量と本体内メモリに記録された動画Ｂデータの容量とから演算して生成される。具体的には、外部メモリＢには、本体内メモリに記録された動画Ｂデータを後からデータ転送する必要があるので、予めその領域を確保していなければならない。そこで、外部メモリＢの残容量から本体内メモリに記録された動画Ｂデータの容量を差し引いた残容量で記録可能時間を演算することが重要である。これにより、連続撮影を行う場合に、使用者は次に外部メモリを交換するタイミングを容易に把握することができる。
【００４３】
その後、使用者が記録スイッチ１１２を操作することにより一連の動画データ（動画Ａ、Ｂ、Ｃ）の記録を終了する（図３のタイミング３１１）。
【００４４】
以上をまとめると、グラフ３０４で図示した動画Ａデータは外部メモリＡに記録され、グラフ３０５で図示した動画Ｂデータは本体内メモリに記録され、グラフ３０６で図示した動画Ｃデータは外部メモリＢに記録される。記録終了タイミング３１１後、本体内メモリに記録された動画Ｂデータの外部メモリＢへのデータ転送が開始される。
【００４５】
次に、図４を参照して、外部メモリ１０６（１０６´）及び本体内メモリ１０８のメモリ使用状況について説明する。４０１は本体内メモリに記録された動画Ｂデータである。４０２は外部メモリＢに記録された動画Ｃデータである。記録終了後に行われる動画Ｂデータ４０１の外部メモリＢへのデータ転送が終了すると、動画Ｂデータは外部メモリＢに含まれる（動画Ｂ＋Ｃ）。よって、外部メモリＡに含まれる動画Ａデータと外部メモリＢに含まれる動画データＢ及び動画Ｃデータが外部メモリＡと外部メモリＢと切り替えるだけで連続再生可能となる。
【００４６】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００４７】
この場合、記憶媒体から読み出されたプログラムコード自体が上述した実施形態の機能を実現することになり、プログラムコード自体及びそのプログラムコードを記憶した記憶媒体は本発明を構成することになる。
【００４８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４９】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００５０】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００５１】
【図１】本発明の実施形態に係る撮像装置の概略構成を示すブロック図である。
【図２】本発明の実施形態に係る撮像装置における具体的な動作を説明するためのフローチャートである。
【図３】外部メモリ及び本体内メモリのメモリ使用状況について説明するための図である。
【図４】外部メモリ及び本体内メモリのメモリ使用状況について説明するための図である。
【図５】ＬＣＤの表示例を示す図である。
【図６】ＬＣＤの表示例を示す図である。
【図７】ＬＣＤの表示例を示す図である。
【図８】ＬＣＤの表示例を示す図である。
【図９】ＬＣＤの表示例を示す図である。
【図１０】ＬＣＤの表示例を示す図である。
【符号の説明】
【００５２】
１０１    レンズ
１０２    ＣＣＤ
１０３    映像信号処理回路
１０４    映像表示出力回路
１０５    ＬＣＤ
１０６    外部メモリ
１０６´  外部メモリ
１０７    外部メモリスロット
１０８    本体内メモリ
１０９    メモリ制御回路
１１０    残容量検出回路
１１１    マイクロコンピュータ
１１２    記録スイッチ
【図１】
2009165019.tif 000003
【図２】
2009165019.tif 000004
【図３】
2009165019.tif 000005
【図４】
2009165019.tif 000006
【図５】
2009165019.tif 000007
【図６】
2009165019.tif 000008
【図７】
2009165019.tif 000009
【図８】
2009165019.tif 000010
【図９】
2009165019.tif 000011
【図１０】
2009165019.tif 000012